(57)【要約】【課題】一つのリモコンで複数の電子機器を選択的に操作する。【解決手段】電子機器システム１００は、表示装置１と、表示装置１と信号の送受信可能な状態で接続された映像機器Ａ２及び映像機器Ｂ３とにより構成されている。表示装置１は、ユーザにより信号供給源が選択された場合、各映像機器の何れの映像機器が選択されたかを示す切替信号を送信する制御部１１を備えている。映像機器Ａ２及び映像機器Ｂ３は、それぞれ、切替信号に基づいて、自装置を被選択状態又は非選択状態の何れかに設定する選択状態管理部２２と、ユーザからの指示信号を受け付けた場合に、自装置が被選択状態であるか否かを判定し、被選択状態に設定されている場合にのみ当該指示信号に応じた処理をおこない、処理結果を表す信号を表示装置１に送信する選択状態検出部２４とを備えている。【選択図】図１
2011188453.tif 000002
【特許請求の範囲】
【請求項１】
第１電子機器と、上記第１の電子機器に信号を供給する複数の第２電子機器とを含む電子機器システムであって、
上記第１電子機器は、
信号供給源として、上記複数の第２電子機器の何れが選択されているかを示す切替信号を、当該複数の第２電子機器の各々に送信する入力信号切替部を備え、
上記第２電子機器は、
上記第１電子機器から送信された切替信号により自装置が信号供給源として選択されているか否かを判断し、自装置が信号供給源として選択されている場合に、被選択状態に設定し、自装置が信号供給源として選択されていない場合に、非選択状態に設定する選択状態管理部と、
外部から入力された指示信号に応じた情報の処理を行い、処理結果を表す信号を上記第１電子機器に供給する情報処理部とを備え、
上記情報処理部は、上記指示信号を受け付けると、自装置が上記選択状態管理部により設定された被選択状態であるか否かを判定し、被選択状態に設定されていると判定された場合にのみ、受け付けた指示信号に応じた情報の処理を行うことを特徴とする電子機器システム。
【請求項２】
上記第２電子機器は、
上記情報処理部によって、自装置が被選択状態に設定されていると判定された場合、上記情報処理部が受け付けた上記指示信号を自装置において識別可能であるか否かを判定し、識別可能ではないと判定した場合に、上記指示信号を、自装置において識別可能な指示信号に変換する指示信号変換部をさらに備えていることを特徴とする請求項１に記載の電子機器システム。
【請求項３】
上記第２電子機器は、
自装置において識別可能ではない指示信号を、自装置において識別可能な指示信号に変換するための変換テーブルを格納した変換テーブル格納部をさらに備え、
上記指示信号変換部は、上記情報処理部が受け付けた上記指示信号を自装置において識別可能ではないと判定した場合に、上記変換テーブルを参照して、当該指示信号を、自装置において識別可能な指示信号に変換することを特徴とする請求項２に記載の電子機器システム。
【請求項４】
上記第２電子機器は、上記変換テーブルを外部機器から取得し、上記変換テーブル格納部に格納することを特徴とする請求項３に記載の電子機器システム。
【請求項５】
上記第２電子機器は、
上記選択状態管理部が設定した被選択状態又は非選択状態を表すデータを格納する選択状態管理テーブルを格納した選択状態管理テーブル格納部をさらに備え、
上記情報処理部は、上記指示信号を受け付けた場合、上記選択状態管理テーブルを参照して、自装置が上記被選択状態であるか否かを判定することを特徴とする請求項１から４までの何れか１項に記載の電子機器システム。
【請求項６】
上記第１電子機器は、上記第１電子機器を操作するための第１入力装置から入力された信号を受け付ける第１受信部をさらに備え、
上記第２電子機器は、上記第２電子機器を操作するための第２入力装置から入力された信号を受け付ける第２受信部をさらに備え、
上記入力信号切替部は、上記第１受信部又は上記第２受信部の何れかが、複数の第２電子機器の何れが選択されているかを示す選択信号を受信した場合に、上記切替信号を、上記複数の第２電子機器に送信することを特徴とする請求項１から５までの何れか１項に記載の電子機器システム。
【請求項７】
上記情報処理部は、上記第１受信部又は上記第２受信部の何れかが、上記指示信号を受け付け、かつ自装置が被選択状態に設定されていると判定された場合に、当該指示信号に応じた処理を行うことを特徴とする請求項６に記載の電子機器システム。
【請求項８】
上記第２電子機器は、上記第１電子機器に映像信号を供給する映像機器であり、上記第１電子機器は、上記第２電子機器から供給された映像信号を表示する表示装置であることを特徴とする請求項１〜７の何れか１項に記載の電子機器システム。
【請求項９】
第１電子機器と、上記第１の電子機器に信号を供給する複数の第２電子機器とを含む電子機器システムにおいて、上記第１電子機器及び上記複数の第２電子機器の各々を操作する操作方法であって、
信号供給源として、上記複数の第２電子機器の何れが選択されているかを示す切替信号を、上記第１電子機器から上記複数の第２電子機器に送信するステップと、
上記第２電子機器が、上記第１電子機器から送信された切替信号により自装置が信号供給源として選択されているか否かを判断し、自装置が信号供給源として選択されている場合に、被選択状態に設定し、自装置が信号供給源として選択されていない場合に、非選択状態に設定するステップと、
上記第２電子機器が、外部から入力された指示信号を受け付けたときに、自装置が上記ステップにおいて設定された被選択状態であるか否かを判定し、被選択状態に設定されていると判定された場合にのみ、受け付けた指示信号に応じた情報の処理を行うステップと、
上記第２電子機器が、上記情報の処理結果を表す信号を上記第１電子機器に供給するステップと
を含むことを特徴とする操作方法。
【請求項１０】
第１電子機器と、上記第１の電子機器に信号を供給する複数の第２電子機器とを含む電子機器システムにおいて、上記第１電子機器として機能する電子機器であって、
信号供給源として、上記複数の第２電子機器の何れが選択されているかを示す切替信号を、上記複数の第２電子機器の各々に送信する入力信号切替部を備えていることを特徴とする電子機器。
【請求項１１】
第１電子機器と、上記第１の電子機器に信号を供給する複数の第２電子機器とを含む電子機器システムにおいて、上記第２電子機器として機能する電子機器であって、
上記第１電子機器から送信された切替信号により上記第１電子機器において自装置が信号供給源として選択されているか否かを判断し、自装置が信号供給源として選択されている場合に、被選択状態に設定し、自装置が信号供給源として選択されていない場合に、非選択状態に設定する選択状態管理部と、
外部から入力された指示信号に応じた情報の処理を行い、処理結果を表す信号を上記第１電子機器に供給する情報処理部とを備え、
上記情報処理部は、上記指示信号を受け付けると、自装置が上記選択状態管理部により設定された被選択状態であるか否かを判定し、被選択状態に設定されていると判定された場合にのみ、受け付けた指示信号に応じた情報の処理を行うことを特徴とする電子機器。
【請求項１２】
請求項１０又は１１に記載の電子機器を動作させるプログラムであって、コンピュータを当該電子機器が備える各部として機能させるためのプログラム。
【請求項１３】
請求項１２に記載のプログラムを記録しているコンピュータ読み取り可能な記録媒体。
【発明の詳細な説明】
【技術分野】
【０００１】
本発明は、複数の電子機器を備えた電子機器システム、電子機器、操作方法、プログラム、及び記録媒体に関する。
【背景技術】
【０００２】
表示装置等の電子機器は、通常、Ｂｌｕ−ｒａｙディスク装置やハードディスクドライブ装置等の複数の装置と組み合わせて使用されている。これらの電子機器には、それぞれを操作するためのリモートコントロール装置（以下、リモコンと称することもある）が付属されており、それぞれの電子機器に対応するリモコンを使用することによって、操作する電子機器を選択することができる。
【０００３】
このような、複数の電子機器を操作するシステムとして、特許文献１には、表示装置と、表示装置に接続される複数の映像機器と、複数の映像機器のそれぞれを制御するためのリモコンとで構成されるＡＶシステムが記載されている。このようなＡＶシステムについて、図８を参照して説明する。図８に示すように、表示装置２００には、それぞれ映像機器を制御する３つのセットトップボックス（ＳＴＢ）２１０〜２１２がＨＤＭＩケーブルにより接続されている。
【０００４】
表示装置２００は、リモコン２０１からの操作入力をリモコン受信部２０３において受信して、当該リモコン２０１に割り当てられたリモコン識別コードと操作内容とをコントロール部２０４に送信する。コントロール部２０４は、メモリ部２０６に予め格納されている各映像機器の情報を参照して、当該リモコン２０１により操作されるＳＴＢ（図８においては、ＳＴＢ２１０）を選択する。
【０００５】
そして、コントロール部２０４は、セレクタ部２０５を介して選択したＳＴＢ２１０に操作内容を送信する。ＳＴＢ２１０は、受信した当該操作内容に対応して処理したデータを受信Ｉ／Ｆ２０７を介してセレクタ部２０５に送信し、表示装置２００は受信した当該データを表示部２０２に表示する。このように、図８に示すようなＡＶシステムにおいては、ユーザにより操作されたリモコンのリモコン識別コードに基づいて、当該リモコンに対応するＡＶ機器を選択して操作し、複数のＡＶ機器を組み合わせて使用することを可能にしている。
【先行技術文献】
【特許文献】
【０００６】
【特許文献１】特開２００４−２０８２９０号公報（２００４年７月２２日公開）
【発明の概要】
【発明が解決しようとする課題】
【０００７】
しかしながら、上述のような従来技術においては、複数の電子機器のそれぞれを操作する際に、各電子機器に対応したリモコンに持ち替える必要があり煩雑である。また、対応するリモコンのリモコン識別コードが共通する電子機器が複数存在する場合、操作する電子機器を正確に選択することができない。また、一般に利用されているユニバーサルなリモコンを使用する場合にも、リモコン識別コードによって操作する電子機器を選択することができず、意図した電子機器を操作することができない。
【０００８】
本発明は、上記の問題点に鑑みてなされたものであり、その目的は、一つのリモコンで複数の電子機器を選択的に操作することが可能な電子機器システム、プログラム、及び記録媒体を提供することにある。
【課題を解決するための手段】
【０００９】
上記の課題を解決するために、本発明に係る電子機器システムは、第１電子機器と、上記第１の電子機器に信号を供給する複数の第２電子機器とを含む電子機器システムであって、上記第１電子機器は、信号供給源として、上記複数の第２電子機器の何れが選択されているかを示す切替信号を、当該複数の第２電子機器の各々に送信する入力信号切替部を備え、上記第２電子機器は、上記第１電子機器から送信された切替信号により自装置が信号供給源として選択されているか否かを判断し、自装置が信号供給源として選択されている場合に、被選択状態に設定し、自装置が信号供給源として選択されていない場合に、非選択状態に設定する選択状態管理部と、外部から入力された指示信号に応じた情報の処理を行い、処理結果を表す信号を上記第１電子機器に供給する情報処理部とを備え、上記情報処理部は、上記指示信号を受け付けると、自装置が上記選択状態管理部により設定された被選択状態であるか否かを判定し、被選択状態に設定されていると判定された場合にのみ、受け付けた指示信号に応じた情報の処理を行うことを特徴としている。
【００１０】
また、上記課題を解決するために、本発明に係る操作方法は、第１電子機器と、上記第１の電子機器に信号を供給する複数の第２電子機器とを含む電子機器システムにおいて、上記第１電子機器及び上記複数の第２電子機器の各々を操作する操作方法であって、信号供給源として、上記複数の第２電子機器の何れが選択されているかを示す切替信号を、上記第１電子機器から上記複数の第２電子機器に送信するステップと、上記第２電子機器が、上記第１電子機器から送信された切替信号により自装置が信号供給源として選択されているか否かを判断し、自装置が信号供給源として選択されている場合に、被選択状態に設定し、自装置が信号供給源として選択されていない場合に、非選択状態に設定するステップと、上記第２電子機器が、外部から入力された指示信号を受け付けたときに、自装置が上記ステップにおいて設定された被選択状態であるか否かを判定し、被選択状態に設定されていると判定された場合にのみ、受け付けた指示信号に応じた情報の処理を行うステップと、上記第２電子機器が、上記情報の処理結果を表す信号を上記第１電子機器に供給するステップとを含むことを特徴としている。
【００１１】
上記の構成によれば、第１電子機器に信号を供給する複数の第２電子機器の各々は、外部から情報処理のための指示信号を受け付けた場合に、自装置が上記選択状態管理部により設定された被選択状態であるか否かを判定し、被選択状態に設定されていると判定された場合にのみ、受け付けた指示信号に応じた情報の処理を行い、処理結果を表す信号を上記第１電子機器に供給する。
【００１２】
このように、第１電子機器による信号供給源の選択に連動して、第２電子機器が受け付けた指示信号に応じた情報の処理が可能となる被選択状態に設定されるので、第１電子機器は、当該第１電子機器を操作するユーザの意図した第２電子機器からの情報処理結果を確実に受け取ることができる。
【００１３】
上記指示信号を送信するリモコンのリモコンコードが同一の第２電子機器が複数存在しても、第１電子機器側で選択した信号供給源の第２電子機器のみが当該リモコンによる操作が可能となるので、一つのリモコンで複数の電子機器を選択的に操作することができる。
【００１４】
また、第１電子機器は、信号供給源として、自装置に信号を供給する複数の第２電子機器から一つの第２電子機器を選択するだけで、同時に同じ指示信号を全ての第２電子機器が受け付けたとしても、自装置が選択した第２電子機器のみが当該指示信号に応じた情報の処理を行わせて、処理結果を表す信号を受信することができる。
【００１５】
また、本発明に係る電子機器システムにおいて、上記第２電子機器は、上記情報処理部によって、自装置が被選択状態に設定されていると判定された場合、上記情報処理部が受け付けた上記指示信号を自装置において識別可能であるか否かを判定し、識別可能ではないと判定した場合に、上記指示信号を、自装置において識別可能な指示信号に変換する指示信号変換部をさらに備えていることが好ましい。
【００１６】
上記の構成によれば、自装置が被選択状態に設定されていると判定した第２電子機器は、情報処理部が受け付けた指示信号を自装置において識別可能であるか否かを判定し、自装置において識別可能ではないと判定された場合にのみ、受け付けた指示信号を、自装置において識別可能な指示信号に変換する。
【００１７】
このように、被選択状態に設定された第２電子機器は、自装置において識別できない指示信号を受け付けた場合であっても、これを自装置において識別可能な指示信号に変換し、変換後の指示信号に応じた情報の処理を行うことができる。したがって、上記指示信号を送信するリモコンのリモコンコードが異なる第２電子機器が複数存在しても、信号供給源に応じてリモコンを持ち替える必要がない。
【００１８】
また、本発明に係る電子機器システムにおいて、上記第２電子機器は、自装置において識別可能ではない指示信号を、自装置において識別可能な指示信号に変換するための変換テーブルを格納した変換テーブル格納部をさらに備え、上記指示信号変換部は、上記情報処理部が受け付けた上記指示信号を自装置において識別可能ではないと判定した場合に、上記変換テーブルを参照して、当該指示信号を、自装置において識別可能な指示信号に変換することが好ましい。
【００１９】
上記の構成によれば、情報処理部が受け付けた指示信号が自装置において識別できない指示信号である場合に、指示信号変換部は、予め格納部に格納された変換テーブルを参照することによって、当該指示信号を自装置において識別可能な指示信号に容易に変換することができる。
【００２０】
また、本発明に係る電子機器システムにおいて、上記第２電子機器は、上記変換テーブルを外部機器から取得し、上記変換テーブル格納部に格納することが好ましい。
【００２１】
上記の構成によれば、第２電子機器は、外部機器から取得した変換テーブルを変換テーブル格納部に格納することができる。したがって、予め格納された変換テーブルでは変換できないリモコンコードの指示信号であっても、当該指示信号を変換するための変換テーブルを追加することによって、自装置において識別可能な指示信号に変換することができる。
【００２２】
また、本発明に係る電子機器システムにおいて、上記第２電子機器は、上記選択状態管理部が設定した被選択状態又は非選択状態を表すデータを格納する選択状態管理テーブルを格納した選択状態管理テーブル格納部をさらに備え、上記情報処理部は、上記指示信号を受け付けた場合、上記選択状態管理テーブルを参照して、自装置が上記被選択状態であるか否かを判定することが好ましい。
【００２３】
上記の構成によれば、情報処理部は、選択状態管理テーブル格納部に格納された選択状態管理テーブルを参照して、自装置が被選択状態であるか否かを判定する。
【００２４】
また、本発明に係る電子機器システムにおいて、上記第１電子機器は、第１電子機器を操作するための第１入力装置から入力された信号を受け付ける第１受信部をさらに備え、上記第２電子機器は、第２電子機器を操作するための第２入力装置から入力された信号を受け付ける第２受信部をさらに備え、上記入力信号切替部は、上記第１受信部又は上記第２受信部の何れかが、複数の第２電子機器の何れが選択されたかを示す選択信号を受信した場合に、上記切替信号を、上記複数の第２電子機器に送信することが好ましい。
【００２５】
上記の構成によれば、入力信号切替部は、第１電子機器の第１受信部及び第２電子機器の第２受信部の何れの受信部において、第２電子機器の何れが選択されているかを示す選択信号を受信したとしても、当該選択信号に基づいて、当該第２電子機器が選択されたことを示す切替信号を、第１電子機器に接続された全ての第２電子機器に送信する。したがって、上記選択信号を送信するリモコンが何れの装置を操作するためのリモコンであったとしても、その選択信号を受信して第２電子機器の選択処理を行うことができる。
【００２６】
また、本発明に係る電子機器システムにおいて、上記情報処理部は、上記第１受信部又は上記第２受信部の何れかが、上記指示信号を受け付け、かつ自装置が被選択状態に設定されていると判定された場合に、当該指示信号に応じた処理を行うことが好ましい。
【００２７】
上記の構成によれば、情報処理部は、第１電子機器の第１受信部及び第２電子機器の第２受信部の何れの受信部において、選択した第２電子機器を操作するための指示信号を受信したとしても、自装置が被選択状態に設定されていれば、当該指示信号に応じた処理を行う。したがって、上記指示信号を送信するリモコンが何れの装置を操作するためのリモコンであったとしても、その指示信号を受信して第２電子機器を操作することができる。
【００２８】
また、本発明に係る電子機器システムにおいて、上記第２電子機器は、上記第１電子機器に映像信号を供給する映像機器であり、上記第１電子機器は、上記第２電子機器から供給された映像信号を表示する表示装置であることが好ましい。
【００２９】
上記の構成によれば、表示装置に信号を供給する複数の映像機器の各々は、外部から情報処理のための指示信号を受け付けた場合に、自装置が選択状態管理部により設定された被選択状態であるか否かを判定し、被選択状態に設定されていると判定された場合にのみ、受け付けた指示信号に応じた映像情報及び音声情報の処理を行い、処理結果を表す信号を表示装置に供給する。
【００３０】
このように、表示装置による信号供給源の選択に連動して、映像機器が受け付けた指示信号に応じた映像情報及び音声情報の処理が可能となる被選択状態に設定されるので、表示装置は、表示装置を操作するユーザの意図した映像機器からの情報処理結果を確実に受け取ることができる。したがって、上記指示信号を送信するリモコンのリモコンコードが同一の映像機器が複数存在しても、表示装置側で選択した信号供給源の電子機器のみが当該リモコンによる操作が可能となるので、一つのリモコンで複数の電子機器を選択的に操作することができる。
【００３１】
なお、上記電子機器システムに含まれる第１の電子機器単体、及び、第２の電子機器単体も本発明の範疇に含まれる。
【００３２】
また、本発明に係る第１電子機器及び第２電子機器は、コンピュータによって実現してもよい。この場合、コンピュータを上記各部として動作させることにより上記第１電子機器又は第２電子機器をコンピュータにおいて実現するプログラム、及びそのプログラムを記録したコンピュータ読み取り可能な記録媒体も、本発明の範疇に含まれる。
【発明の効果】
【００３３】
本発明に係る電子機器システムによれば、第１電子機器に信号を供給する複数の第２電子機器が、自装置が信号供給源として選択された被選択状態であるか否かを判定し、被選択状態に設定されていると判定された場合にのみ、受け付けた指示信号に応じた処理を行い、処理結果を表す信号を第１電子機器に供給するので、一つリモコンで複数の電子機器を選択的に操作することが可能である。
【図面の簡単な説明】
【００３４】
【図１】本発明に係る電子機器システムの全体構成を示す図である。
【図２】（ａ）及び（ｂ）は、選択状態管理テーブルを示す図である。
【図３】変換テーブルを示す図である。
【図４】映像機器の操作処理の流れを示すフローチャートである。
【図５】本発明において使用するリモコンの一例を示す図である。
【図６】表示装置用リモコンを用いた映像機器の選択処理の流れを示すフローチャートである。
【図７】映像機器用リモコンを用いた映像機器の選択処理の流れを示すフローチャートである。
【図８】従来のＡＶシステムの全体構成を示す図である。
【発明を実施するための形態】
【００３５】
〔電子機器システム１００〕
本発明に係る電子機器システム１００について、図１〜７に基づいて説明すれば以下の通りである。なお、本実施形態においては、本発明に係る電子機器システム１００として、表示装置（第１電子機器）１に、映像機器Ａ（第２電子機器）２及び映像機器Ｂ（第２電子機器）３を接続したシステムを例として用いるが、複数の機器を組み合わせて使用することが可能な電子機器であれば、これに限定されない。例えば、表示装置１に複数のＡＶアンプを接続したシステムや、ＤＶＤプレーヤー等の映像機器に複数のＡＶアンプを接続したシステム等にも適用することができる。また、図１においては、表示装置１に二つの映像機器を接続したシステムを示しているが、表示装置１に接続する映像機器の数もこれに限定されない。さらに、表示装置１に、それぞれ機能の異なる複数の電子機器を接続してもよい。
【００３６】
電子機器システム１００について、図１を参照して説明する。図１は、本発明に係る電子機器システム１００の全体構成を示す図である。図１に示すように、電子機器システム１００は、表示装置１と、２つの映像機器Ａ２及び映像機器Ｂ３とにより構成されている。また、電子機器システム１００は、リモコン（Ｒ／Ｃ）４を含んで構成されてもよい。表示装置１と、映像機器Ａ２及び映像機器Ｂ３とは、映像信号、音声信号、制御信号などの信号の送受信可能な状態で接続されている。表示装置１と、映像機器Ａ２及び映像機器Ｂ３とは、例えば、ＨＤＭＩケーブルのような映像信号、音声信号、制御信号を一本のケーブルで送受信できるケーブルを使用して接続することができる。
【００３７】
表示装置１としては、受信したテレビジョン放送信号を出力するテレビジョン放送信号受像機（ＴＶ受像機）、映像機器から供給される映像及び音声を出力する各種ディスプレイ装置等を使用することができる。また、映像機器Ａ２及び映像機器Ｂ３としては、ＤＶＤプレーヤー、Ｂｌｕ−ｒａｙディスクプレーヤー、ＨＤＤレコーダ等を使用することができる。
【００３８】
（表示装置１）
表示装置１は、リモコン受光部（第１受信部）１０、制御部（入力信号切替部）１１、表示部１２、ＳＷ切替部１３、及び送受信インターフェース（Ｉ／Ｆ）１４を備えている。リモコン受光部１０は、赤外線通信により信号を受信するものであって、ユーザがリモコン４に対して操作入力した場合に、リモコン４から送信される、当該操作入力を表す信号を受信し、制御部１１に送信する。このとき、リモコン４は、自装置を操作するためのリモコン（第１入力装置）として機能している。
【００３９】
リモコン４から送信される信号には、ユーザによる表示装置１、映像機器Ａ２、又は映像機器Ｂ３への操作入力を表す指示信号、又はユーザによる映像機器Ａ２及び映像機器Ｂ３の何れが選択されているかを示す選択信号が含まれ、さらにリモコン４を他のリモコンから識別するために割り当てられたリモコン識別コードを含むことができる。
【００４０】
リモコン受光部１０が指示信号を受信した場合、制御部１１は、各送受信Ｉ／Ｆ１４を介して、各映像機器に当該指示信号を送信する。リモコン受光部１０が選択信号を受信した場合、制御部１１はＳＷ切替部１３に、選択された映像機器に接続を切り替えさせる。また、制御部１１は、自装置に接続されている複数の映像機器の何れが信号供給元として選択されたかを示す切替信号を、送受信Ｉ／Ｆ１４を介して自装置に接続された全ての映像機器（図１では、映像機器Ａ２及び映像機器Ｂ３）に送信する。
【００４１】
図１に示す例では、制御部１１は、ＳＷ切替部１３に、接続を映像機器Ａ２に切り替えさせ、映像機器Ａ２が信号供給源として選択されたことを示す切替信号を映像機器Ａ２及び映像機器Ｂ３に送信する。制御部１１は、映像機器Ａ２又は映像機器Ｂ３のリモコン受光部２０が選択信号を受信した場合にも、同様の処理を行うが、当該処理の詳細については後述する。
【００４２】
ＳＷ切替部１３は、制御部１１からの指示により、各映像機器への接続を切り替える。ＳＷ切替部１３おいては、現在選択されている映像機器にのみ接続されており、他の映像機器とは接続されていない。ＳＷ切替部１３は、各映像機器への接続を切り替え、映像機器からの映像信号及び音声信号を選択的に表示部１２に送信する。
【００４３】
送受信Ｉ／Ｆ１４は、表示装置１と映像機器Ａ２又は映像機器Ｂ３との間において、各種信号を送受信するためのインターフェースであり、本実施形態においては、ＨＤＭＩを例として説明している。表示装置１には３つの送受信Ｉ／Ｆ１４が設けられている。このうち２つの送受信Ｉ／Ｆ１４は、表示装置１に接続される映像機器Ａ２及び映像機器Ｂ３に対してそれぞれ１対１で対応している。残りの１つの送受信Ｉ／Ｆ１４は空状態であり、他の映像機器に対応させることができるようになっている。
【００４４】
表示部１２は、ＳＷ切替部１３を介して送受信Ｉ／Ｆ１４に接続されており、映像機器Ａ２又は映像機器Ｂ２から供給された映像信号により表される映像データを表示装置１のディスプレイ（図示せず）に表示する。
【００４５】
（映像機器Ａ２及び映像機器Ｂ３）
映像機器Ａ２及び映像機器Ｂ３は、それぞれリモコン受光部（第２受信部）２０、送受信Ｉ／Ｆ２１、選択状態管理部２２、メモリ（選択状態管理テーブル格納部、変換テーブル格納部）２３、選択状態検出部（情報処理部）２４、リモコンコード処理部（指示信号変換部）２５、並びに映像・音声処理部２６を備えている。
【００４６】
リモコン受光部２０は、赤外線通信により信号を受信するものであって、ユーザがリモコン４に対して操作入力した場合に、リモコン４から送信される、当該操作入力を表す信号を受信し、送受信Ｉ／Ｆ２１を介して表示装置１に、又は選択状態管理部２２に送信する。このとき、リモコン４は、自装置を操作するためのリモコン（第２入力装置）として機能している。
【００４７】
送受信Ｉ／Ｆ２１は、表示装置１の送受信Ｉ／Ｆ１４に対応しており、表示装置１との間で各種信号を送受信するためのインターフェースである。本実施形態においては、ＨＤＭＩを例として説明している。表示装置１からの切替信号は、送受信Ｉ／Ｆ２１を介して選択状態管理部２２に送信され、指示信号は、送受信Ｉ／Ｆ２１を介して選択状態検出部２４に送信される。また、リモコン受光部２０が受信した選択信号は、送受信Ｉ／Ｆ２１を介して表示装置１に送信される。
【００４８】
選択状態管理部２２は、送受信Ｉ／Ｆ２１を介して表示装置１から切替信号を受け付けた場合、当該切替信号に基づいて、自装置がユーザから信号供給源として選択されているか否かを判断する。そして、自装置が信号供給源として選択されている場合には、自装置を被選択状態に設定し、自装置が被選択状態であることを表すデータをメモリ２３の選択状態管理テーブルに格納する。また、自装置が信号供給源として選択されていない場合には、自装置を非選択状態に設定し、自装置が非選択状態であることを表すデータをメモリ２３の選択状態管理テーブルに格納する。
【００４９】
表示装置１からは、表示装置１が選択信号を受け付けるたびに、表示装置１に接続された全ての映像機器に対して切替信号が送信されるので、選択状態管理部２２は、切替信号を受信するたびに自装置が被選択状態か否かを判断して設定を変更し、メモリ２３の選択状態管理テーブルのデータを更新する。
【００５０】
メモリ２３には、選択状態管理部２２が設定した被選択状態又は非選択状態を表すデータを格納する選択状態管理テーブルと、自装置において識別できない指示信号を、自装置において識別可能な指示信号に変換するための変換テーブルとが格納されている。なお、メモリ２３には、これらのテーブルに限らず、電子機器システム１００内の各ブロックが所定の処理を実行する際に必要とする各種テーブルを格納しておくことができる。
【００５１】
選択状態検出部２４は、送受信Ｉ／Ｆ２１を介して表示装置１から送信された指示信号、及びリモコン受光部２０において受信した指示信号を受け付け、当該指示信号に応じた処理を行うために、当該指示信号を映像・音声処理部２６に送信する。選択状態検出部２４は、指示信号を受け付けた場合、自装置が選択状態管理部２２により設定された被選択状態であるか否かを判定する。そして、選択状態検出部２４は、自装置が被選択状態に設定されていると判定された場合にのみ、受け付けた指示信号に応じた処理を行うべく、当該指示信号をリモコンコード処理部２５に送信する。
【００５２】
一方、自装置が被選択状態に設定されていない（非選択状態である）と判定された場合には、受け付けた指示信号をリモコンコード処理部２５に送信せず、処理を終了する。選択状態検出部２４は、指示信号を受け付けた場合、メモリ２３に格納されている選択状態管理テーブルから現在の自装置の選択状態を表すデータを読み出して参照し、自装置が被選択状態に設定されているか否かを判定する。
【００５３】
リモコンコード処理部２５は、選択状態検出部２４から指示信号を受け付けた場合、当該指示信号を自装置において識別可能であるか否かを判定する。そして、リモコンコード処理部２５は、受け付けた指示信号が自装置において識別可能であると判定した場合、当該指示信号を映像・音声処理部２６に送信する。一方、リモコンコード処理部２５は、受け付けた指示信号が自装置において識別可能ではないと判定した場合、当該指示信号を自装置において識別可能な指示信号に変換した後に、映像・音声処理部２６に送信する。
【００５４】
リモコンコード処理部２５は、指示信号を受け付けた場合、メモリ２３に格納されている上記変換テーブルから、受け付けた指示信号と自装置で識別可能な指示信号との対応関係を表すデータを読み出して参照し、受け付けた指示信号を自装置で識別可能な指示信号に変換する。そして、リモコンコード処理部２５は、変換後の指示信号を映像・音声処理部２６に送信する。
【００５５】
映像・音声処理部２６は、リモコンコード処理部２５から指示信号を受け付け、当該指示信号に応じた処理を行い、送受信Ｉ／Ｆ２１を介して指示内容に応じた映像信号又は音声信号を表示装置１に供給する。
【００５６】
（選択状態管理テーブル）
メモリ２３に格納される選択状態管理テーブルの一例を、図２（ａ）及び（ｂ）を参照して説明する。図２（ａ）及び（ｂ）は、選択状態管理テーブルを示す図である。図２（ａ）及び（ｂ）に示すように、選択状態管理テーブルには、映像機器の識別記号に関連付けて、現在の選択状態が格納されている。なお、図２（ａ）及び（ｂ）において、選択状態「１」は、現在選択されている状態（被選択状態）であることを表し、選択状態「０」は、現在選択されていない状態（非選択状態）であることを表している。
【００５７】
例えば、現在、選択状態管理テーブルが、図２（ａ）の状態、すなわち映像機器Ａが選択された状態である場合に、表示装置１から切替信号（映像機器Ｃに切り替えたことを示す信号）が各映像機器の選択状態管理部２２に送られると、それぞれの選択状態管理部２２は、それぞれのメモリ２３内の選択状態管理テーブルを図２（ｂ）のように書き換える。
【００５８】
これにより、全ての映像機器のメモリ２３内の選択状態管理テーブルは、図２（ａ）から図２（ｂ）に書き換えられた状態となる。この状態において、任意のリモコン４から入力された指示信号が各映像機器に送られた場合、選択状態検出部２４は、メモリ２３内の選択状態管理テーブルから現在の自装置の選択状態を表すデータを読み出して参照し、自装置が被選択状態に設定されているか否かを判定する。つまり、自装置が選択状態「１」であるか否かを判定する。
【００５９】
（変換テーブル）
メモリ２３内に格納される変換テーブルの一例を、図３を参照して説明する。図３は、変換テーブルを示す図である。図３に示すように、変換テーブルは、リモコンコード列と、変換コード列とを有している。リモコンコード列には、自装置において識別できない指示信号のリモコンコードが格納されており、変換コード列には、リモコンコード列の各リモコンコードに対応する、自装置において識別可能な指示信号のリモコンコードが、対応するリモコンコード毎に関連付けて格納されている。
【００６０】
すなわち、変換テーブルには、自装置において識別できない指示信号のリモコンコードと、当該リモコンコードを受け付けた場合に、自装置が実行すべき処理内容を表すリモコンコードとの対応関係が示されている。したがって、リモコンコード処理部２５は、受け付けた指示信号を自装置において識別可能ではないと判定した場合、メモリ２３内の変換テーブルから、受け付けた指示信号のリモコンコードに対応する自装置において識別可能な指示信号のリモコンコードのデータを読み出して参照し、受け付けた指示信号を自装置において識別可能な指示信号に変換する。
【００６１】
なお、変換テーブルは、各映像機器のメモリ２３内に予め格納されていてもよいが、追加されてもよく、さらに、表示装置１に接続される映像機器の増加に伴って更新されてもよい。変換テーブルを更新及び追加する方法として、衛星を介してダウンロードする、インターネットを介してＷｅｂサーバ上のメーカーサイトからダウンロードする、各映像機器に接続されたＵＳＢメモリ（外部機器）等に書き込まれたデータを読み取る、各映像機器に挿入された各種ディスク（ＢＤ、ＤＶＤ、ＣＤ等）に書き込まれたデータを読み取る等の方法が挙げられるが、これらに限定されない。
【００６２】
変換テーブルには、表示装置１と、表示装置１に接続される自装置以外のすべての映像機器とを操作するための各リモコン４からの指示信号のリモコンコードに対応する、自装置で識別可能な指示信号のリモコンコードが格納されることが好ましいが、自装置で識別可能な指示信号と、リモコンコードが共通する指示信号を送信するリモコン４については、当該データを有していなくてもよい。
【００６３】
（電子機器の操作処理の流れ）
図４を参照して、本実施形態における、電子機器システム１００による電子機器の操作処理の流れを説明する。図４は、電子機器の操作処理の流れを示すフローチャートである。図４に示すように、まず選択状態検出部２４は、ステップＳ２０において、指示信号を受け付けたか否かを判定する。この指示信号は、表示装置１のリモコン受光部１０で受信して映像装置に送られた指示信号であってもよく、映像機器のリモコン受光部２０で受信して選択状態検出部２４に送られた指示信号であってもよい。
【００６４】
ステップＳ２０における判定の結果が「真」である場合（Ｙｅｓ）、すなわち選択状態検出部２４において指示信号を受け付けた場合、選択状態検出部２４は、メモリ２３に格納されている選択状態管理テーブルから現在の自装置の選択状態を表すデータを読み出す（ステップＳ２１）。一方、ステップＳ２０における判定結果が「偽」である場合（Ｎｏ）、すなわち選択状態検出部２４において指示信号を受け付けていない場合、ステップＳ２０を繰り返す。
【００６５】
次に、ステップＳ２２において、選択状態検出部２４は、メモリ２３から読み出したデータを参照して、自装置が現在被選択状態に設定されているか否かを判定する。ステップＳ２２における判定の結果が「真」である場合（Ｙｅｓ）、すなわち自装置が被選択状態に設定されている場合、選択状態検出部２４は、受け付けた指示信号をリモコンコード処理部２５に送信する。一方、ステップＳ２２における判定の結果が「偽」である場合（Ｎｏ）、すなわち自装置が被選択状態に設定されていない場合、ステップＳ２０を繰り返す。
【００６６】
リモコンコード処理部２５は、選択状態検出部２４から受け付けた指示信号が、自装置で識別可能な指示信号であるか否かを判定する（ステップＳ２３）。ステップＳ２３における判定の結果が「真」である場合（Ｙｅｓ）、すなわち受け付けた指示信号を自装置において識別可能である場合、リモコンコード処理部２５は、受け付けた指示信号を映像・音声処理部２６に送信する。
【００６７】
ステップＳ２３における判定の結果が「偽」である場合（Ｎｏ）、すなわち受け付けた指示信号を自装置において識別できない場合、リモコンコード処理部２５は、メモリ２３内の変換テーブルから、受け付けた指示信号と自装置で識別可能な指示信号との対応関係を表すデータを取得する（ステップＳ２５）。次に、ステップＳ２６において、リモコンコード処理部２５は、ステップＳ２５で取得したデータに基づいて、受け付けた指示信号を自装置において識別可能な指示信号に変換する。そしてリモコンコード処理部２５は、変換した指示信号を映像・音声処理部２６に送信する。
【００６８】
リモコンコード処理部２５から指示信号を受け付けた映像・音声処理部２６は、ステップＳ２４において、指示信号に応じた処理を行い、処理結果を表示装置１に供給する。その後、ステップＳ２０を繰り返す。
【００６９】
このように、電子機器システム１００においては、被選択状態に設定された映像機器にのみユーザからの指示信号による制御が伝わり、非選択状態に設定された映像機器には、選択状態検出部２４以降には指示信号による制御が伝わらない。また、非選択状態に設定された映像機器は、自装置を操作するためのリモコン４以外の任意のリモコン４からの指示信号を受け付けた場合、受け付けた指示信号が自装置で識別できない場合には、メモリ２３に格納した変換テーブルを参照して、受け付けた指示信号を自装置において識別可能な指示信号に変換し、変換後の指示信号に応じた処理を行う。
【００７０】
（表示装置用リモコン４０及び映像機器用リモコン４１）
電子機器システム１００において使用するリモコン４の例について、図５を参照して説明する。図５は、本発明において使用するリモコン４の一例を示す図である。図５に示すように、電子機器システム１００においては、表示装置１を操作するための表示装置用リモコン４０、及び各映像機器を操作するための映像機器用リモコン４１を使用することができる。
【００７１】
表示装置用リモコン４０は、表示装置１を操作するための各種入力キーを備えており、さらに、表示装置１に接続された外部プレーヤー等の映像機器を操作するための数種の入力キーを備えている。表示装置用リモコン４０における映像機器を操作するための入力キーは、各メーカーの映像機器を操作可能なようにプリセットすることが可能である。また、表示装置用リモコン４０は、入力切替キーを備えており、操作する装置の選択を切り替えることが可能となっている。
【００７２】
映像機器用リモコン４１は、映像機器を操作するための各種入力キーを備えており、さらに、自装置が接続されたテレビジョン受像機等の表示装置１を操作するための数種の入力キーを備えている。映像機器用リモコン４１における表示装置１を操作するための入力キーは、各メーカーの表示装置を操作可能なようにプリセットすることが可能である。また、映像機器用リモコン４１は、入力切替キーを備えており、操作する装置の選択を切り替えることが可能となっている。
【００７３】
表示装置用リモコン４０及び映像機器用リモコン４１は、それぞれ各装置に付属されたリモコンであるが、複数の装置を操作するための入力キー、及び入力切替キーを有する限り、一般に入手可能な他のリモコンを使用することができる。
【００７４】
（映像機器の選択処理の流れ）
図６及び７を参照して、本実施形態における、電子機器システム１００による映像機器の選択処理の流れを説明する。図６は、表示装置用リモコン４０を用いた映像機器の選択処理の流れを示すフローチャートであり、図７は、映像機器用リモコン４１を用いた映像機器の選択処理の流れを示すフローチャートである。
【００７５】
図６に示すように、表示装置用リモコン４０を用いてユーザが信号供給源となる映像機器の切替操作を行った場合、まず制御部１１は、ユーザの表示装置用リモコン４０による入力切替操作を表す選択信号を表示装置１のリモコン受光部１０で受け付ける。リモコン受光部１０において選択信号を受け付けた場合、制御部１１はＳＷ切替部１３に、当該入力切替操作によって選択された映像機器に接続を切り替えさせる（ステップＳ６０）。
【００７６】
次に、制御部１１は、入力切替操作により何れの映像機器が選択されたかを示す切替信号を、送受信Ｉ／Ｆ１４を介して各映像機器（映像機器Ａ２及び映像機器Ｂ３）に送信する。各映像機器の選択状態管理部２２は、表示装置１から送信された切替信号を受け付け、受け付けた切替信号により自装置が信号供給源として選択されているか否かを判定する（ステップＳ６１）。そして、選択状態管理部２２は、ステップＳ６２において、自装置が信号供給源として選択されている場合には、自装置を被選択状態に設定し、自装置が信号供給源として選択されていない場合には、自装置を非選択状態に設定する。選択状態管理部２２は、設定した選択状態をメモリ２３内の選択状態管理テーブルに格納し、選択状態管理テーブルを更新する（ステップＳ６３）。
【００７７】
一方、図７に示すように、映像機器用リモコン４１を用いてユーザが信号供給源となる映像機器の切替操作を行った場合、映像機器用リモコン４１による入力切替操作を表す選択信号は、映像機器用リモコン４１によって操作される映像機器のリモコン受光部２０で受け付けられる。選択信号を受け付けたリモコン受光部２０は、当該選択信号を送受信Ｉ／Ｆ２１を介して表示装置１に送信する。
【００７８】
送受信Ｉ／Ｆ１４を介して、映像機器から選択信号を受け付けた制御部１１は、ステップＳ７０において、ＳＷ切替部１３に、当該選択信号に基づいて、入力切替操作により選択された映像機器に接続を切り替えさせる。また、制御部１１は、入力切替操作によって何れの映像機器が選択されたかを示す切替信号を、送受信Ｉ／Ｆ１４を介して各映像機器に送信する。各映像機器の選択状態管理部２２は、表示装置１から送信された切替信号を受け付け、受け付けた切替信号により自装置が信号供給源として選択されているか否かを判定する（ステップＳ７１）。そして、選択状態管理部２２は、ステップＳ７２において、自装置が信号供給源として選択されている場合には、自装置を被選択状態に設定し、自装置が信号供給源として選択されていない場合には、自装置を非選択状態に設定する。選択状態管理部２２は、設定した選択状態をメモリ２３内の選択状態管理テーブルに格納し、選択状態管理テーブルを更新する（ステップＳ７３）。
【００７９】
このように、各映像機器が、自装置を操作するためのリモコン４からの入力切替操作を受け付けた場合、自装置が被選択状態であるか否かに関わらず、表示装置１に対して、当該入力切替操作を表す選択信号を送信する。すなわち、表示装置１及び各映像機器の何れが入力切替操作を受け付けた場合でも、表示装置１の制御部１１が選択された映像機器の接続の切り替えをＳＷ切替部１３に指示し、何れの映像機器が選択されたかを示す切替信号を、各映像機器に送信する。
【００８０】
〔プログラム及び記録媒体〕
電子機器システム１００に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００８１】
すなわち、電子機器システム１００は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００８２】
この記録媒体は、上述した機能を実現するソフトウェアである電子機器システム１００のプログラムのプログラムコード（実行形式プログラム、中間コードプログラム、ソースプログラム）をコンピュータで読み取り可能に記録していればよい。電子機器システム１００に、この記録媒体を供給する。これにより、コンピュータとしての電子機器システム１００（またはＣＰＵやＭＰＵ）が、供給された記録媒体に記録されているプログラムコードを読み出し、実行すればよい。
【００８３】
プログラムコードを電子機器システム１００に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００８４】
また、電子機器システム１００を通信ネットワークと接続可能に構成しても、本発明の目的を達成できる。この場合、上記のプログラムコードを、通信ネットワークを介して電子機器システム１００に供給する。この通信ネットワークは電子機器システム１００にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００８５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００８６】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【００８７】
本発明は、複数の電子機器を組み合わせて使用する電子機器システムとして、幅広く利用することができる。
【符号の説明】
【００８８】
１          表示装置（第１電子機器）
２          映像機器Ａ（第２電子機器）
３          映像機器Ｂ（第２電子機器）
４          リモコン（第１入力装置、第２入力装置）
１０        リモコン受光部（第１受信部）
１１        制御部（入力信号切替部）
１２        表示部
１３        ＳＷ切替部
１４、２１  送受信Ｉ／Ｆ
２０        リモコン受光部（第２受信部）
２２        選択状態管理部
２３        メモリ（選択状態管理テーブル格納部、変換テーブル格納部）
２４        選択状態検出部（情報処理部）
２５        リモコンコード処理部（指示信号変換部）
２６        映像・音声処理部
【図１】
2011188453.tif 000003
【図２】
2011188453.tif 000004
【図３】
2011188453.tif 000005
【図４】
2011188453.tif 000006
【図５】
2011188453.tif 000007
【図６】
2011188453.tif 000008
【図７】
2011188453.tif 000009
【図８】
2011188453.tif 000010